【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
無線移動通信システムの移動性管理エンティティー（Ｍｏｂｉｌｉｔｙ  Ｍａｎａｇｅｍｅｎｔ  Ｅｎｔｉｔｙ、ＭＭＥ）でゲートウェイ（ＧａｔｅＷａｙ、ＧＷ）選択方法において、
ホーム基地局（Ｈｏｍｅ  ｅｖｏｌｖｅｄ  ｎｏｄｅＢ、ＨｅＮＢ）から接続要請メッセージ（Ａｔｔａｃｈ  Ｒｅｑｕｅｓｔ  Ｍｅｓｓａｇｅ）を受信する段階と、
前記接続要請メッセージがローカルゲートウェイ（Ｌｏｃａｌ−ＧａｔｅＷａｙ、Ｌ−ＧＷ）アドレスを含むか否かを判断する段階と、
前記接続要請メッセージが前記Ｌ−ＧＷアドレスを含んでいる場合、前記Ｌ−ＧＷアドレスを使用してＧＷを選択する段階と、を含む選択方法。
【請求項２】
前記接続要請メッセージが前記Ｌ−ＧＷアドレスを含まず、前記接続要請メッセージがローカルＩＰ接続  （Ｌｏｃａｌ  ＩＰ  Ａｃｃｅｓｓ、ＬＩＰＡ）のみを支援するアクセスポイントネーム（Ａｃｃｅｓｓ  Ｐｏｉｎｔ  Ｎａｍｅ、ＡＰＮ）である場合、前記接続要請メッセージに応答して前記ＨｅＮＢに拒絶メッセージ（ｒｅｊｅｃｔ  ｍｅｓｓａｇｅ）を伝送する段階をさらに含むことを特徴とする請求項１に記載の選択方法。
【請求項３】
前記Ｌ−ＧＷアドレスは、アップリンク伝送を通じて伝達されるＳ１メッセージに含まれることを特徴とする請求項１に記載の選択方法。
【請求項４】
前記Ｌ−ＧＷアドレスは、ＵＥメッセージに含まれることを特徴とする請求項１に記載の選択方法。
【請求項５】
ユーザ加入情報によって前記接続要請メッセージに含まれたアクセスポイントネーム（Ａｃｃｅｓｓ  Ｐｏｉｎｔ  Ｎａｍｅ、ＡＰＮ）がローカルＩＰ接続（Ｌｏｃａｌ  ＩＰ  Ａｃｃｅｓｓ、ＬＩＰＡ）を承認する場合、前記接続要請を前記加入者情報に含まれた閉じた加入者グループ（Ｃｌｏｓｅｄ  Ｓｕｂｓｃｒｉｂｅｒ  Ｇｒｏｕｐ、ＣＳＧ）加入データを基盤に承認する段階をさらに含むことを特徴とする請求項１に記載の選択方法。
【請求項６】
前記ＣＳＧ加入データは、少なくとも１つのＣＳＧ  ＩＤ（Ｉｄｅｎｔｉｆｉｅｒ）を含み、前記ＣＳＧ  ＩＤは、対応するＡＰＮ情報を含むことを特徴とする請求項５に記載の選択方法。
【請求項７】
無線移動通信システムのホーム基地局（Ｈｏｍｅ  ｅｖｏｌｖｅｄ  ｎｏｄｅＢ、ＨｅＮＢ）でゲートウェイ（ＧａｔｅＷａｙ、ＧＷ）選択支援方法において、
端末（Ｕｓｅｒ  Ｅｑｕｉｐｍｅｎｔ、ＵＥ）から接続要請メッセージ（Ａｔｔａｃｈ  Ｒｅｑｕｅｓｔ  Ｍｅｓｓａｇｅ）を受信する段階と、
前記接続要請メッセージを移動性管理エンティティー（Ｍｏｂｉｌｉｔｙ  Ｍａｎａｇｅｍｅｎｔ  Ｅｎｔｉｔｙ、ＭＭＥ）に伝達する段階と、を含み、
前記ＭＭＥは、前記接続要請メッセージがローカルゲートウェイ（Ｌｏｃａｌ−ＧａｔｅＷａｙ、Ｌ−ＧＷ）アドレスを含むか否かを判断し、前記接続要請メッセージが前記Ｌ−ＧＷアドレスを含んでいる場合、前記Ｌ−ＧＷアドレスを使用してＧＷを選択することを特徴とする選択支援方法。
【請求項８】
前記ＭＭＥは、前記接続要請メッセージが前記Ｌ−ＧＷアドレスを含まず、前記接続要請メッセージがローカルＩＰ接続（Ｌｏｃａｌ  ＩＰ  Ａｃｃｅｓｓ、ＬＩＰＡ）のみを支援するアクセスポイントネーム（Ａｃｃｅｓｓ  Ｐｏｉｎｔ  Ｎａｍｅ、ＡＰＮ）である場合、前記接続要請メッセージに応答して前記ＨｅＮＢに拒絶メッセージ（ｒｅｊｅｃｔ  ｍｅｓｓａｇｅ）を伝送することを特徴とする請求項７に記載の選択支援方法。
【請求項９】
前記Ｌ−ＧＷアドレスは、アップリンク伝送を通じて伝達されるＳ１メッセージに含まれることを特徴とする請求項７に記載の選択支援方法。
【請求項１０】
前記Ｌ−ＧＷアドレスは、ＵＥメッセージに含まれることを特徴とする請求項７に記載の選択支援方法。
【請求項１１】
前記ＭＭＥは、ユーザ加入情報によって前記接続要請メッセージに含まれたアクセスポイントネーム（Ａｃｃｅｓｓ  Ｐｏｉｎｔ  Ｎａｍｅ、ＡＰＮ）がローカルＩＰ接続（Ｌｏｃａｌ  ＩＰ  Ａｃｃｅｓｓ、ＬＩＰＡ）を承認する場合、前記接続要請を前記加入者情報に含まれた閉じた加入者グループ（Ｃｌｏｓｅｄ  Ｓｕｂｓｃｒｉｂｅｒ  Ｇｒｏｕｐ、ＣＳＧ）加入データを基盤に承認することを特徴とする請求項７に記載の選択支援方法。
【請求項１２】
前記ＣＳＧ加入データは、少なくとも１つのＣＳＧ  ＩＤ（Ｉｄｅｎｔｉｆｉｅｒ）を含み、前記ＣＳＧ  ＩＤは、対応するＡＰＮ情報を含むことを特徴とする請求項１１に記載の選択支援方法。
【請求項１３】
無線通信システムでゲートウェイ（ＧａｔｅＷａｙ、ＧＷ）を選択する装置において、
信号を送受信する送受信部と、
前記送受信部を制御し、ホーム基地局（Ｈｏｍｅ  ｅｖｏｌｖｅｄ  ｎｏｄｅＢ、ＨｅＮＢ）から接続要請メッセージ（Ａｔｔａｃｈ  Ｒｅｑｕｅｓｔ  Ｍｅｓｓａｇｅ）を受信し、前記接続要請メッセージがローカルゲートウェイ（Ｌｏｃａｌ−ＧａｔｅＷａｙ、Ｌ−ＧＷ）アドレスを含むか否かを判断し、前記接続要請メッセージが前記Ｌ−ＧＷアドレスを含んでいる場合、前記Ｌ−ＧＷアドレスを使用してＧＷを選択する制御部と、を含む装置。
【請求項１４】
前記制御部は、前記接続要請メッセージが前記Ｌ−ＧＷアドレスを含まず、前記接続要請メッセージがローカルＩＰ接続（Ｌｏｃａｌ  ＩＰ  Ａｃｃｅｓｓ、ＬＩＰＡ）のみを支援するアクセスポイントネーム（Ａｃｃｅｓｓ  Ｐｏｉｎｔ  Ｎａｍｅ、ＡＰＮ）である場合、前記接続要請メッセージに応答して前記ＨｅＮＢに拒絶メッセージ（ｒｅｊｅｃｔ  ｍｅｓｓａｇｅ）を伝送することを特徴とする請求項１３に記載の装置。
【請求項１５】
前記Ｌ−ＧＷアドレスは、アップリンク伝送を通じて伝達されるＳ１メッセージに含まれることを特徴とする請求項１３に記載の装置。
【請求項１６】
前記Ｌ−ＧＷアドレスは、ＵＥメッセージに含まれることを特徴とする請求項１３に記載の装置。
【請求項１７】
前記制御部は、ユーザ加入情報によって前記接続要請メッセージに含まれたアクセスポイントネーム（Ａｃｃｅｓｓ  Ｐｏｉｎｔ  Ｎａｍｅ、ＡＰＮ）がローカルＩＰ接続（Ｌｏｃａｌ  ＩＰ  Ａｃｃｅｓｓ、ＬＩＰＡ）を承認する場合、前記接続要請を前記加入者情報に含まれた閉じた加入者グループ（Ｃｌｏｓｅｄ  Ｓｕｂｓｃｒｉｂｅｒ  Ｇｒｏｕｐ、ＣＳＧ）加入データを基盤に承認することを特徴とする請求項１３に記載の装置。
【請求項１８】
前記ＣＳＧ加入データは、少なくとも１つのＣＳＧ  ＩＤ（Ｉｄｅｎｔｉｆｉｅｒ）を含み、前記ＣＳＧ  ＩＤは、対応するＡＰＮ情報を含むことを特徴とする請求項１７に記載の装置。
【請求項１９】
無線移動通信システムでゲートウェイ（ＧａｔｅＷａｙ、ＧＷ）選択支援装置において、
信号を送受信する送受信部と、
前記送受信部を制御し、端末（Ｕｓｅｒ  Ｅｑｕｉｐｍｅｎｔ、ＵＥ）から接続要請メッセージ（Ａｔｔａｃｈ  Ｒｅｑｕｅｓｔ  Ｍｅｓｓａｇｅ）を受信し、前記接続要請メッセージを移動性管理エンティティー（Ｍｏｂｉｌｉｔｙ  Ｍａｎａｇｅｍｅｎｔ  Ｅｎｔｉｔｙ、ＭＭＥ）に伝達する制御部と、を含み、
前記ＭＭＥは、前記接続要請メッセージがローカルゲートウェイ（Ｌｏｃａｌ−ＧａｔｅＷａｙ、Ｌ−ＧＷ）アドレスを含むか否かを判断し、前記接続要請メッセージが前記Ｌ−ＧＷアドレスを含んでいる場合、前記Ｌ−ＧＷアドレスを使用してＧＷを選択することを特徴とする選択支援装置。
【請求項２０】
前記ＭＭＥは、前記接続要請メッセージが前記Ｌ−ＧＷアドレスを含まず、前記接続要請メッセージがローカルＩＰ接続（Ｌｏｃａｌ  ＩＰ  Ａｃｃｅｓｓ、ＬＩＰＡ）のみを支援するアクセスポイントネーム（Ａｃｃｅｓｓ  Ｐｏｉｎｔ  Ｎａｍｅ、ＡＰＮ）である場合、前記接続要請メッセージに応答して前記ＨｅＮＢに拒絶メッセージ（ｒｅｊｅｃｔ  ｍｅｓｓａｇｅ）を伝送することを特徴とする請求項１９に記載の選択支援装置。
【請求項２１】
前記Ｌ−ＧＷアドレスは、アップリンク伝送を通じて伝達されるＳ１メッセージに含まれることを特徴とする請求項１９に記載の選択支援装置。
【請求項２２】
前記Ｌ−ＧＷアドレスは、ＵＥメッセージに含まれることを特徴とする請求項１９に記載の選択支援装置。
【請求項２３】
前記ＭＭＥは、ユーザ加入情報によって前記接続要請メッセージに含まれたアクセスポイントネーム（Ａｃｃｅｓｓ  Ｐｏｉｎｔ  Ｎａｍｅ、ＡＰＮ）がローカルＩＰ接続（Ｌｏｃａｌ  ＩＰ  Ａｃｃｅｓｓ、ＬＩＰＡ）を承認する場合、前記接続要請を前記加入者情報に含まれた閉じた加入者グループ（Ｃｌｏｓｅｄ  Ｓｕｂｓｃｒｉｂｅｒ  Ｇｒｏｕｐ、ＣＳＧ）加入データを基盤に承認することを特徴とする請求項１９に記載の選択支援装置。
【請求項２４】
前記ＣＳＧ加入データは、少なくとも１つのＣＳＧ  ＩＤ（Ｉｄｅｎｔｉｆｉｅｒ）を含み、前記ＣＳＧ  ＩＤは、対応するＡＰＮ情報を含むことを特徴とする請求項２３に記載の選択支援装置。